(57)【要約】【課題】従来技術では、所定時刻毎の使用頻度が少ない場合も、所定時刻毎の使用頻度が多い場合も、時間に関係なく、一定時間で、所定の設定モードに移行させていた。つまり、移行時間が、一定であるため、所定時刻毎の使用頻度が少ない場合は、相対的に使用頻度に対して移行時間が遅く、無駄が多くなっていた。反対に、所定時刻毎の使用頻度が多い場合は、相対的に使用頻度に対して移行時間が早く、作業者のジョブにロスが生じていた。【解決手段】画像形成装置の設定作動モードを入力する入力手段と、その設定作動モードを表示する表示部と、最後の入力動作が終了後、所定の時間が経過すると画像形成装置の設定作動モードを所定の設定モードに移行させる機能を有した制御手段とを有する画像形成装置において、所定時刻毎の使用頻度によって、時刻毎の所定時間をそれぞれ決定する移行時間決定手段とを有することを特徴とする画像形成装置。【選択図】　図１
2004054267.tif 000002
【特許請求の範囲】
【請求項１】
画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、
時間帯毎の設定作動モードを入力する回数または総時間に関する使用頻度によって、その時間帯毎の前記所定時間をそれぞれ決定する移行時間決定手段とを有することを特徴とする画像形成装置。
【請求項２】
画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、
時間帯毎の設定作動モードを入力する回数または総時間に関する使用頻度によって、その時間帯毎の前記所定時間をそれぞれ決定するオートクリア移行時間決定手段とを有することを特徴とする画像形成装置。
【請求項３】
画像形成装置の設定作動モードを入力する入力手段と、その設定作動モードを表示する表示部と、最後の入力動作が終了後、所定時間が経過すると画像形成装置の電源をＯＦＦ状態にするオートシャットオフ機能を有した制御手段とを有する画像形成装置において、
時間帯毎の設定作動モードを入力する回数または総時間に関する使用頻度によって、その時間帯毎の前記所定時間をそれぞれ決定するオートシャットオフ移行時間決定手段とを有することを特徴とする画像形成装置。
【請求項４】
画像形成装置の設定作動モードを入力する入力手段と、その設定作動モードを表示する表示部と、画像形成装置の電源をＯＮ状態で維持しつつ、その表示部を待機状態とするオートプレヒート機能と定着部の温度制御を行う機能を有した制御手段とを有する画像形成装置において、
時間帯毎の設定作動モードを入力する回数または総時間に関する使用頻度によって、最後の入力動作が終了後、所定時間が経過すると画像形成装置の設定作動モードをプレヒートに移行させ、その時間帯毎の前記所定時間をそれぞれ決定するオートプレヒート移行時間決定手段を有することを特徴とする画像形成装置。
【請求項５】
画像形成装置の設定作動モードを入力する入力手段と、その設定作動モードを表示する表示部と、画像形成装置の電源をＯＮ状態で維持しつつ、その表示部をスクリーンセーバ状態とするスクリーンセーブ機能を有した制御手段とを有する画像形成装置において、
時間帯毎の設定作動モードを入力する回数または総時間に関する使用頻度によって、最後の入力動作が終了後、所定時間が経過すると画像形成装置の設定作動モードをスクリーンセーブに移行させ、その時間帯毎の前記所定時間をそれぞれ決定するスクリーンセーブ移行時間決定手段を有することを特徴とする画像形成装置。
【請求項６】
前記時間帯毎の設定作動モードを入力する回数または総時間に関する使用頻度によって、時間帯毎の決定された移行時間を、少なくとも２つ以上有し、且つ、それぞれ下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置。
【請求項７】
前記時間帯毎の設定作動モードを入力する回数または総時間に関する使用頻度によって、時間帯毎の決定された移行時間を、少なくとも２つ以上有し、且つ、それぞれ下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置。
【請求項８】
画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、
時間帯毎の前記画像形成装置のあらゆる使用に関する使用頻度によって、その時間帯毎の前記所定時間をそれぞれ決定する移行時間決定手段と、
時間帯毎の決定された移行時間を、少なくとも２つ以上有し、且つ、それぞれ下記の関係式
Ｂ＞Ｃ＞Ａ＞ＤまたはＢ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする画像形成装置。
【請求項９】
画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、
時間帯毎の前記画像形成装置のあらゆる使用に関する使用頻度によって、その時間帯毎の前記所定時間をそれぞれ決定する移行時間決定手段とを有し、
時間帯毎の決定された移行時間に対して、移行時間の上限値、若しくは、下限値を入力することが、可能なことを特徴とする画像形成装置。
【請求項１０】
画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、
時間帯毎の前記画像形成装置のあらゆる使用に関する使用頻度によって、その時間帯毎の前記所定時間をそれぞれ決定するオートクリア移行時間決定手段と、
時間帯毎の決定された移行時間を、少なくとも２つ以上有し、且つ、それぞれ下記の関係式
Ｂ＞Ｃ＞Ａ＞ＤまたはＢ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする画像形成装置。
【請求項１１】
画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、
時間帯毎の前記画像形成装置のあらゆる使用に関する使用頻度によって、その時間帯毎の前記所定時間をそれぞれ決定するオートクリア移行時間決定手段とを有し、
時間帯毎の決定された移行時間に対して、移行時間の上限値、若しくは、下限値を入力することが、可能なことを特徴とする画像形成装置。
【請求項１２】
前記時間帯毎の設定作動モードを入力する回数または総時間に関する使用頻度によって、時間帯毎の決定された移行時間に対して、移行時間の上限値、若しくは、下限値を入力することが、可能なことを特徴とする請求項１、２、３、４、５、６、７、８、１０のいずれかに記載の画像形成装置。
【発明の詳細な説明】
【０００１】
【発明の属する技術分野】
本発明は、複写機、レーザプリンタ、ファクシミリなどに係り、特にオートクリア機能、オートシャットオフ機能、オートプレヒート機能、スクリーンセーブ機能等に関するものである。
【０００２】
【従来の技術】
従来は、画像形成装置を使用する場合は、ユーザーが必要に応じてオートクリア機能、オートシャットオフ機能、オートプレヒート機能、スクリーンセーブ機能等が設定されるが、このユーザーがジョブを終了し、所定時間（オートクリアタイム、オートシャットオフタイム、オートプレヒートタイム）が経過すると自動的にその動作設定は、例えば、最も普通に使われる動作設定を登録した初期設定動作モードに復帰する。こうすることにより次のユーザーが使用する場合は初期動作設定により行うことができる。なお前記オートクリアタイムはユーザーが好みに応じて時間を選択したり、または復帰しないモードにすることもできる。
【０００３】
【発明が解決しようとする課題】
ところが、従来技術では、時間帯毎の使用頻度が少ない場合も、時間帯毎の使用頻度が多い場合も、時間に関係なく、一定時間で、所定の設定モードに移行させていた。つまり、移行時間が、一定であるため、時間帯毎の使用頻度が少ない場合は、相対的に使用頻度に対して移行時間が遅く、無駄が多くなっていた。反対に、時間帯毎の使用頻度が多い場合は、相対的に使用頻度に対して移行時間が早く、作業者のジョブにロスが生じていた。
【０００４】
【課題を解決するための手段】
上記の課題を解決するために、請求項１に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、時間帯毎の設定作動モードを入力する回数または総時間に関する使用頻度によって、その時間帯毎の前記所定時間をそれぞれ決定する移行時間決定手段とを有することを特徴とする画像形成装置を提供するものである。
【０００５】
この請求項１記載の発明により、ユーザーの使用したい時（使用頻度の多い時）に、移行時間を短く設定し、ユーザーのあまり使用しない時（使用頻度の少ない時）に、移行時間を長く設定しているので、使用頻度の多い時は、迅速な操作を行う事ができ、使用頻度の少ない時は、省エネルギーを図ることができる。
【０００６】
次に、請求項２に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、時間帯毎の設定作動モードを入力する回数または総時間に関する使用頻度によって、その時間帯毎の前記所定時間をそれぞれ決定するオートクリア移行時間決定手段とを有することを特徴とする画像形成装置を提供するものである。
【０００７】
この請求項２記載の発明により、、ユーザーの使用したい時（使用頻度の多い時）に、オートクリア移行時間を短く設定し、ユーザーのあまり使用しない時（使用頻度の少ない時）に、オートクリア移行時間を長く設定しているので、使用頻度の多い時は、なかなかオートクリアしないので、迅速な操作を行う事ができ、使用頻度の少ない時は、早めにオートクリアを行うので、省エネルギーを図ることができる。
【０００８】
次に、請求項３に記載の発明によれば、画像形成装置の設定作動モードを入力する入力手段と、その設定作動モードを表示する表示部と、最後の入力動作が終了後、所定時間が経過すると画像形成装置の電源をＯＦＦ状態にするオートシャットオフ機能を有した制御手段とを有する画像形成装置において、時間帯毎の設定作動モードを入力する回数または総時間に関する使用頻度によって、その時間帯毎の前記所定時間をそれぞれ決定するオートシャットオフ移行時間決定手段とを有することを特徴とする画像形成装置を提供するものである。
【０００９】
この請求項３記載の発明により、ユーザーの使用したい時（使用頻度の多い時）に、移行時間を短く設定し、ユーザーのあまり使用しない時（使用頻度の少ない時）に、オートシャットオフ移行時間を長く設定しているので、使用頻度の多い時は、なかなかしないので、迅速な操作を行う事ができ、使用頻度の少ない時は、早めにオートシャットオフ行うので、省エネルギーを図ることができる。
【００１０】
次に、請求項４に記載の発明によれば、画像形成装置の設定作動モードを入力する入力手段と、その設定作動モードを表示する表示部と、画像形成装置の電源をＯＮ状態で維持しつつ、その表示部を待機状態とするオートプレヒート機能と定着部の温度制御を行う機能を有した制御手段とを有する画像形成装置において、時間帯毎の設定作動モードを入力する回数または総時間に関する使用頻度によって、最後の入力動作が終了後、所定時間が経過すると画像形成装置の設定作動モードをプレヒートに移行させ、その時間帯毎の前記所定時間をそれぞれ決定するオートプレヒート移行時間決定手段を有することを特徴とする画像形成装置を提供するものである。
【００１１】
この請求項４記載の発明により、ユーザーの使用したい時（使用頻度の多い時）に、オートプレヒート移行時間を短く設定し、ユーザーのあまり使用しない時（使用頻度の少ない時）に、オートプレヒート移行時間を長く設定しているので、使用頻度の多い時は、なかなかオートプレヒートしないので、迅速な操作を行う事ができ、使用頻度の少ない時は、早めにオートプレヒートを行うので、省エネルギーを図ることができる。
【００１２】
次に、請求項５に記載の発明によれば、画像形成装置の設定作動モードを入力する入力手段と、その設定作動モードを表示する表示部と、画像形成装置の電源をＯＮ状態で維持しつつ、その表示部をスクリーンセーバ状態とするスクリーンセーブ機能を有した制御手段とを有する画像形成装置において、時間帯毎の設定作動モードを入力する回数または総時間に関する使用頻度によって、最後の入力動作が終了後、所定時間が経過すると画像形成装置の設定作動モードをスクリーンセーブに移行させ、その時間帯毎の前記所定時間をそれぞれ決定するスクリーンセーブ移行時間決定手段を有することを特徴とする画像形成装置を提供するものである。
【００１３】
この請求項５記載の発明により、ユーザーの使用したい時（使用頻度の多い時）に、スクリーンセーブ移行時間を短く設定し、ユーザーのあまり使用しない時（使用頻度の少ない時）に、スクリーンセーブ移行時間を長く設定しているので、使用頻度の多い時は、なかなかスクリーンセーブしないので、迅速な操作を行う事ができ、使用頻度の少ない時は、早めにスクリーンセーブを行うので、省エネルギーを図ることができる。
【００１４】
次に、請求項６に記載の発明によれば、前記時間帯毎の設定作動モードを入力する回数または総時間に関する使用頻度によって、時間帯毎の決定された移行時間を、少なくとも２つ以上有し、且つ、それぞれ下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置を提供するものである。
【００１５】
この請求項６記載の発明により、上記の関係式で、それぞれの移行時間をコントロールするので、ユーザーにとって、円滑な動作制御が可能となる。
【００１６】
次に、請求項７に記載の発明によれば、前記時間帯毎の設定作動モードを入力する回数または総時間に関する使用頻度によって、時間帯毎の決定された移行時間を、少なくとも２つ以上有し、且つ、それぞれ下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置を提供するものである。
【００１７】
この請求項７記載の発明により、上記の関係式で、それぞれの移行時間をコントロールするので、ユーザーにとって、円滑な動作制御が可能となる。
【００１８】
次に、請求項８に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、時間帯毎の前記画像形成装置のあらゆる使用に関する使用頻度によって、その時間帯毎の前記所定時間をそれぞれ決定する移行時間決定手段と、時間帯毎の決定された移行時間を、少なくとも２つ以上有し、且つ、それぞれ下記の関係式
Ｂ＞Ｃ＞Ａ＞ＤまたはＢ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする画像形成装置を提供するものである。この請求項８記載の発明により、上記の関係式で、それぞれの移行時間をコントロールするので、ユーザーにとって、円滑な動作制御が可能となる。
【００１９】
次に、請求項９に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、時間帯毎の前記画像形成装置のあらゆる使用に関する使用頻度によって、その時間帯毎の前記所定時間をそれぞれ決定する移行時間決定手段とを有し、時間帯毎の決定された移行時間に対して、移行時間の上限値、若しくは、下限値を入力することが、可能なことを特徴とする画像形成装置を提供するものである。
【００２０】
この請求項９記載の発明により、予め、使用者等が、移行時間の上限値、若しくは、下限値を入力することよって、画像形成装置の設定作動モードを入力する入力手段と、その設定作動モードを表示する表示部と、最後の入力動作が終了後、所定時間が経過すると画像形成装置の設定作動モードを所定の設定モードに移行させる機能を有した制御手段とを有する画像形成装置において、著しく離れた値になることや、使用者の要望をかなえつつそれぞれの移行時間を決定することができる。
【００２１】
次に、請求項１０に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、時間帯毎の前記画像形成装置のあらゆる使用に関する使用頻度によって、その時間帯毎の前記所定時間をそれぞれ決定するオートクリア移行時間決定手段と、時間帯毎の決定された移行時間を、少なくとも２つ以上有し、且つ、それぞれ下記の関係式
Ｂ＞Ｃ＞Ａ＞ＤまたはＢ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする画像形成装置を提供するものである。この請求項１０記載の発明により、上記の関係式で、それぞれの移行時間をコントロールするので、ユーザーにとって、円滑な動作制御が可能となる。
【００２２】
次に、請求項１１に記載の発明によれば、画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、時間帯毎の前記画像形成装置のあらゆる使用に関する使用頻度によって、その時間帯毎の前記所定時間をそれぞれ決定するオートクリア移行時間決定手段とを有し、時間帯毎の決定された移行時間に対して、移行時間の上限値、若しくは、下限値を入力することが、可能なことを特徴とする画像形成装置を提供するものである。
【００２３】
この請求項１１記載の発明により、予め、使用者等が、移行時間の上限値、若しくは、下限値を入力することよって、画像形成装置の設定作動モードを入力する入力手段と、その設定作動モードを表示する表示部と、最後の入力動作が終了後、所定時間が経過すると画像形成装置の設定作動モードを所定の設定モードに移行させるオートクリア機能を有した制御手段とを有する画像形成装置において、著しく離れた値になることや、使用者の要望をかなえつつそれぞれの移行時間を決定することができる。
【００２４】
次に、請求項１２に記載の発明によれば、前記時間帯毎の設定作動モードを入力する回数または総時間に関する使用頻度によって、時間帯毎の決定された移行時間に対して、移行時間の上限値、若しくは、下限値を入力することが、可能なことを特徴とする請求項１、２、３、４、５、６、７、８、１０のいずれかに記載の画像形成装置を提供するものである。
【００２５】
この請求項１２記載の発明により、予め、使用者等が、移行時間の上限値、若しくは、下限値を入力することよって、請求項１、２、３、４、５、６、７、８、１０のいずれかに記載の画像形成装置において、著しく離れた値になることや、使用者の要望をかなえつつそれぞれの移行時間を決定することができる。
【００２６】
【発明の実施の形態】
以下に、図面を参照して、本発明を詳細に説明する。
以下添付図面を参照して，本発明を具体化した実施例につき説明し，本発明の理解に供する。尚，以下の実施例は，本発明を具体化した一例であって，本発明の技術的範囲を限定するものではない。
【００２７】
ここに，図１は、本発明を採用する画像形成装置のブロック図、図２は、本発明を採用する画像形成装置の操作パネルの基本画面、図３は、本発明を採用する画像形成装置の操作パネルの変倍画面、図４は、本発明を採用する画像形成装置の操作パネルの機能画面、図５は、本発明を採用する画像形成装置の操作パネルの枠消しモード選択画面である。
【００２８】
本発明を採用する画像形成装置の、操作部を図２〜図５に基づいて説明する。まず図２に示す基本画面について説明する。表示部１はＬＣＤ表示部であり、表示とともにタッチパネルを兼ねている。この画面では倍率、カセットおよびバイパスの選択、両面の設定、写真モード、露光などの設定ができる。基本タブ１１１、変倍タブ１３１、機能タブ１５１はそれぞれのタブにタッチすると、その機能の設定画面に移る。基本ガイダンス表示部１１２はユーザーに情報を知らせる「コピーできます。１（枚づつ）」などの表示を行う。設定表示部１２０は現在の設定「１００％、自動用紙」などを表示する。その他は設定で選択されたもの以外は図中にあるようにマスクがかけられ現在の設定作動モードがわかりやすくなっている。この画面では倍率：１００％、コピー枚数：１枚、自動用紙選択でＡ４横がセットされた第１カセットが選択され、露光はほぼ真ん中の強さにある。写真モードなどは選択されてない。
【００２９】
図中の右側にはテンキー２、ストップ／クリアキー３、オールクリアキー４、スタートキー５が設けられている。前記テンキー２はコピー枚数などの数値入力に使われ、前記ストップ／クリアキー３は直前の入力を取り消すキーで、前記オールクリアキーは設定された設定作動モードをワンタッチで初期設定作動モードに戻すキーである。前記スタートキー５はコピーの開始キーとしてや、モードの決定などのキーとして使われる。
【００３０】
上記変倍タブ１３１を選択すると図３に示す変倍画面に切り替わる。変倍ガイダンス表示部１３２はユーザーに「倍率を設定して下さい。」などの情報の表示を行う。解除キー１３３を選択すると入力した変倍率を初期の変倍率の１００％にもどしつつ基本画面へ戻る。既定変倍キー１３４はそれぞれ原稿サイズと用紙サイズに基づいてＡ３→Ａ４、Ａ４Ｒ→Ａ５、Ｂ４→Ｂ５の変更は７０％、Ｂ４→Ａ４の変更は８１％、Ｂ４→Ａ３、Ｂ５→Ａ４、Ｂ５→Ａ４の変更は１１５％、Ａ４→Ａ３、Ａ５→Ａ４、Ｂ５→Ｂ４の変更は１４１％の既定の変倍を行うキーである。５０％キー１３５および２００％キー１３６はそれぞれタッチすると５０％、２００％の変倍設定になる。変倍設定表示部１３７は現在の変倍率を表示している。拡大キー１３８および縮小キー１３９はそれぞれタッチするか押し続けると倍率１％刻みで倍率を変えることができる。設定キー１４０を選択すると入力した変倍率を保持したまま基本画面へ戻る。
【００３１】
つぎに上記機能タブ１５１を選択すると図４に示す機能選択画面に切り替わる。機能ガイダンス表示部１５２はユーザーに「機能を選択して下さい。」などの情報の表示を行う。その下に機能を選択するキーである両面キー１５３、分割キー１５４、マージンキー１５５、ＯＨＰ合紙キー１５６、シートキー１５７、枠消しキー１５８などが並べられている。前記両面キー１５３を選択すると両面コピーモードになり、前記分割キー１５４を選択すると、例えばＡ３原稿をＡ４用紙２枚に分割してコピーする。前記マージンキー１５５を選択するとそのさらに詳しい画面（図示していない）に切り替わりマージンの設定が可能となる。前記ＯＨＰ合紙キーを選択すると、ＯＨＰシートを手差し給紙部から給紙してコピーしつつその他のカセットから用紙を給紙して合紙とする。前記シートキーを選択するとそのさらに詳しい画面（図示していない）に切り替わりオモテ表紙、ウラ表紙、仕切用紙などの設定が可能となる。
【００３２】
前記枠消しキー１５８を選択すると図５に示すようなさらに詳細な枠消しモード選択画面１５９に切り替わる。枠消しモードガイダンス表示部１５９１に「枠消しコピーモードです。」や、「原稿の種類を選択して下さい。」などの表示を行う。もどるキー１５９２を選択すると前記機能選択画面１５にもどる。枠消し幅選択キー１５９３は選択した幅の枠消しを行う。シート枠消しキー１５９４を選択すると用紙周辺の枠消しを行い。ブック枠消し１５９５を選択すると用紙の周辺および原稿長手方向の中央付近の枠消しを行う。任意設定枠消しキー１５９６を選択するとその詳しい画面（図示していない）に切り替わり数値入力した細かい枠消しも可能となる。
【００３３】
その他タブ１６１を選択すると、パスワード入力画面や、部門管理画面、料金などの画面（図示していない）に切り替わる。
【００３４】
このように設定作動モードは、倍率やコピー枚数および露光などを少しいじるだけで設定できる簡単なものから、マージンやシートモード、および枠消しモードなどの画面を次々と切り換えて数値入力や細かい設定を行う非常に複雑な設定作動モードなどいろいろある。本発明はこれらの設定作動モード毎にユーザーが適切なオートクリアタイムを設定できる。
【００３５】
本件発明を採用する画像形成装置のブロック図を図１に示す。表示部１およびキー入力手段（２〜５）は上述したＬＣＤ表示部とテンキーやスタートキーなどのキー入力である。制御部６は、設定作動モード別オートクリアタイム設定手段６１、オートクリアタイム決定手段６２、タイマー６３、復帰手段６４などから構成されるか、もしくは各々が同等の作用をするものから構成されている。ＲＯＭ７には初期設定作動モードデータや設定作動モード別オートクリアタイムの関係を予め決めたテーブルデータやその他プログラムなどが格納されている。ＲＡＭ８には現状の設定作動モードのデータや画像形成装置の設定データなどが格納されている。
【００３６】
本発明の特徴部分であるオートクリアタイム等設定手段６１について図６に基づいて説明する。同図は設定作動モード別のオートクリアタイムを設定する画面である。本実施例では基本画面のタブを選択してこの画面に入っているが、専用のハードスイッチを設けても良い。この画面のオートクリアタイム設定画面ガイダンス表示部１６２に「各機能が選択されたときの自動復帰するまでの時間を設定して下さい。」などの表示を行う。オートクリアタイム設定画面表示部１６３は現在がどの画面であるかを表示している。設定作動モード別オートクリアタイム設定キー１６３は選択した作動モードを操作したあとの初期作動モードへの復帰時間を変えることができる。
【００３７】
各キーの左側が設定動作モードで倍率や複写枚数などの簡単なものから、枠消しモードやＯＨＰ合紙モードなどの複雑なものがあり、右側には設定作動モード別オートクリアタイムが表示されている。ユーザーはこの画面で前記設定作動モード別オートクリアタイム設定キー１６３のどれかを選択して、ＵＰキー１６７を押せば順次時間が上昇し、ＤＯＷＮキー１６８を押せば順次時間が下降する。前の機能キー１６５や次の機能キー１６６はこれらを押すことによりその他のユーザー設定を行う画面に切り替わる。これらの設定された設定作動モード別オートクリアタイムは前記ＲＡＭ８内に記憶保持される。
【００３８】
第１実施の形態は、最後の入力動作が終了後、所定時間が経過すると画像形成装置の設定作動モードを所定の設定モードに移行させる機能を、時間帯毎の使用頻度によって、時間帯毎の所定時間をそれぞれ決定する移行時間決定手段とを有することを特徴とする画像形成装置を説明するものであり、その処理手順を，図７のフローチャートを用いて説明する。図中Ｓ１０１，Ｓ１０２……は，処理手順（ステップ）の番号を示す。
Ｓ１０１で、現在の時間帯から、Ａ１〜Ａ６のうち１つを選択する。Ｓ１０２に進み、選択された時間帯における使用回数をカウントする。
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、を図７に示す。
さらに、Ｓ１０３で、使用回数が、２０回以下か、２０回以上かを判断する。ここで、使用回数が、２０回以下なら、移行時間が、１８０（Ｓ）にセットされ（Ｓ１０４）、終了する。
２０回以上なら、Ｓ１０５に進み、２１〜４０回か否か、判断される。ここで、使用回数が、２１〜４０回なら、移行時間が、１２０（Ｓ）にセットされ（Ｓ１０６）、終了する。
４０回以上なら、Ｓ１０７に進み、４１〜６０回か否か、判断される。ここで、使用回数が、４１〜６０回なら、移行時間が、６０（Ｓ）にセットされ（Ｓ１０７）、終了する。
６０回以上なら、Ｓ１０９に進み、６０回か否か、判断される。ここで、使用回数が、６０回なら、移行時間が、４５（Ｓ）にセットされ（Ｓ１１０）、終了する。
どこにも、該当しなければ、Ｓ１０３に戻り、判定を繰り返す。
【００３９】
第２実施の形態は、最後の入力動作が終了後、所定時間が経過すると画像形成装置の設定作動モードを所定の設定モードに移行させるオートクリア機能を、時間帯毎の使用頻度によって、時間帯毎の所定時間をそれぞれ決定するオートクリア機能移行時間決定手段とを有することを特徴とする画像形成装置を説明するものであり、その処理手順を，図８のフローチャートを用いて説明する。図中Ｓ２０１，Ｓ２０２……は，処理手順（ステップ）の番号を示す。
Ｓ２０１で、現在の時間帯から、Ａ１〜Ａ６のうち１つを選択する。Ｓ２０２に進み、選択された時間帯における使用回数をカウントする。
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図７に示す。
さらに、Ｓ２０３で、使用回数が、２０回以下か、２０回以上かを判断する。ここで、使用回数が、２０回以下なら、移行時間が、１８０（Ｓ）にセットされ（Ｓ２０４）、終了する。
２０回以上なら、Ｓ２０５に進み、２１〜４０回か否か、判断される。ここで、使用回数が、２１〜４０回なら、移行時間が、１２０（Ｓ）にセットされ（Ｓ２０６）、終了する。
４０回以上なら、Ｓ２０７に進み、４１〜６０回か否か、判断される。ここで、使用回数が、４１〜６０回なら、移行時間が、６０（Ｓ）にセットされ（Ｓ２０７）、終了する。
６０回以上なら、Ｓ２０９に進み、６０回か否か、判断される。ここで、使用回数が、６０回なら、移行時間が、４５（Ｓ）にセットされ（Ｓ２１０）、終了する。
どこにも、該当しなければ、Ｓ２０３に戻り、判定を繰り返す。
【００４０】
第３実施の形態は、復帰する所定の設定モードが、初期設定動作画面である画像形成装置を説明するものであり、その説明を行う。
復帰する所定の設定モードが、初期設定動作画面であり、例えば、変倍画面（図３）、機能画面（図４）、その他（図面３，４）等から、基本画面（図２）に決定された移行時間によって、移行する状態をいう。
つまり、決定された移行時間によって、初期設定動作画面（例えば、基本画面（図２））に移行することによって、ハンドリングの良い画像形成装置を提供することができる。
【００４１】
第４実施の形態は、最後の入力動作が終了後、所定時間が経過すると画像形成装置の設定作動モードを所定の設定モードに移行させるオートシャットオフ機能を、時間帯毎の使用頻度によって、時間帯毎の所定時間をそれぞれ決定するオートシャットオフ機能移行時間決定手段とを有することを特徴とする画像形成装置を説明するものであり、その処理手順を，図９のフローチャートを用いて説明する。図中Ｓ３０１，Ｓ３０２……は，処理手順（ステップ）の番号を示す。
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図７に示す。
Ｓ３０１で、現在の時間帯から、Ａ１〜Ａ６のうち１つを選択する。Ｓ３０２に進み、選択された時間帯における使用回数をカウントする。
さらに、Ｓ３０３で、使用回数が、２０回以下か、２０回以上かを判断する。ここで、使用回数が、２０回以下なら、移行時間が、１８０（Ｓ）にセットされ（Ｓ３０４）、終了する。
２０回以上なら、Ｓ３０５に進み、２１〜４０回か否か、判断される。ここで、使用回数が、２１〜４０回なら、移行時間が、１２０（Ｓ）にセットされ（Ｓ３０６）、終了する。
４０回以上なら、Ｓ２０７に進み、４１〜６０回か否か、判断される。ここで、使用回数が、４１〜６０回なら、移行時間が、６０（Ｓ）にセットされ（Ｓ３０７）、終了する。
６０回以上なら、Ｓ３０９に進み、６０回か否か、判断される。ここで、使用回数が、６０回なら、移行時間が、４５（Ｓ）にセットされ（Ｓ３１０）、終了する。
どこにも、該当しなければ、Ｓ３０３に戻り、判定を繰り返す。
【００４２】
第５実施の形態は、最後の入力動作が終了後、所定時間が経過すると画像形成装置の設定作動モードを所定の設定モードに移行させるオートプレヒート機能を、時間帯毎の使用頻度によって、時間帯毎の所定時間をそれぞれ決定するオートプレヒート機能移行時間決定手段とを有することを特徴とする画像形成装置を説明するものであり、その処理手順を，図１０のフローチャートを用いて説明する。図中Ｓ４０１，Ｓ４０２……は，処理手順（ステップ）の番号を示す。
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図７に示す。
Ｓ４０１で、現在の時間帯から、Ａ１〜Ａ６のうち１つを選択する。Ｓ４０２に進み、選択された時間帯における使用回数をカウントする。
さらに、Ｓ４０３で、使用回数が、２０回以下か、２０回以上かを判断する。ここで、使用回数が、２０回以下なら、移行時間が、１８０（Ｓ）にセットされ（Ｓ４０４）、終了する。
２０回以上なら、Ｓ４０５に進み、２１〜４０回か否か、判断される。ここで、使用回数が、２１〜４０回なら、移行時間が、１２０（Ｓ）にセットされ（Ｓ４０６）、終了する。
４０回以上なら、Ｓ４０７に進み、４１〜６０回か否か、判断される。ここで、使用回数が、４１〜６０回なら、移行時間が、６０（Ｓ）にセットされ（Ｓ４０７）、終了する。
６０回以上なら、Ｓ４０９に進み、６０回か否か、判断される。ここで、使用回数が、６０回なら、移行時間が、４５（Ｓ）にセットされ（Ｓ４１０）、終了する。
どこにも、該当しなければ、Ｓ４０３に戻り、判定を繰り返す。
【００４３】
第６実施の形態は、最後の入力動作が終了後、所定時間が経過すると画像形成装置の設定作動モードを所定の設定モードに移行させるスクリーンセーブ機能を、時間帯毎の使用頻度によって、時間帯毎の所定時間をそれぞれ決定するスクリーンセーブ機能移行時間決定手段とを有することを特徴とする画像形成装置を説明するものであり、その処理手順を，図１１のフローチャートを用いて説明する。図中Ｓ５０１，Ｓ５０２……は，処理手順（ステップ）の番号を示す。
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図７に示す。
Ｓ２０１で、現在の時間帯から、Ａ１〜Ａ６のうち１つを選択する。Ｓ５０２に進み、選択された時間帯における使用回数をカウントする。
さらに、Ｓ５０３で、使用回数が、２０回以下か、２０回以上かを判断する。ここで、使用回数が、２０回以下なら、移行時間が、１８０（Ｓ）にセットされ（Ｓ５０４）、終了する。
２０回以上なら、Ｓ５０５に進み、２１〜４０回か否か、判断される。ここで、使用回数が、２１〜４０回なら、移行時間が、１２０（Ｓ）にセットされ（Ｓ５０６）、終了する。
４０回以上なら、Ｓ５０７に進み、４１〜６０回か否か、判断される。ここで、使用回数が、４１〜６０回なら、移行時間が、６０（Ｓ）にセットされ（Ｓ５０７）、終了する。
６０回以上なら、Ｓ５０９に進み、６０回か否か、判断される。ここで、使用回数が、６０回なら、移行時間が、４５（Ｓ）にセットされ（Ｓ５１０）、終了する。
どこにも、該当しなければ、Ｓ５０３に戻り、判定を繰り返す。
【００４４】
第７実施の形態は、時間帯毎の使用頻度は、設定作動モードを入力する回数に関するものであり、説明を行う。
ここで、使用頻度を図るパラメータとして、設定作動モードを入力する回数によって、移行時間を決定する。
【００４５】
第８実施の形態は、時間帯毎の使用頻度は、設定作動モードを入力する総時間に関するものであり、説明を行う。
ここで、使用頻度を図るパラメータとして、設定作動モードを入力する総時間によって、移行時間を決定する。
【００４６】
第９実施の形態は、時間帯毎の使用頻度によって、時間帯毎の決定された移行時間を、少なくとも２つ以上有し、且つ、それぞれ下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置および請求項８、請求項１０に記載の画像形成装置を説明するものであり、表１を用いて説明する。
つまり、テーブルデータを表２のように、使用回数０〜２０回の場合は、　Ｂ（２４０（Ｓ））＞Ｃ（２１０（Ｓ））＞Ａ（１８０（Ｓ））＞Ｄ（１２０（Ｓ））にし、、使用回数２１〜４０回の場合は、　Ｂ（１８０（Ｓ））＞Ｃ（１６０（Ｓ））＞Ａ（１２０（Ｓ））＞Ｄ（１００（Ｓ））にし、、使用回数４１〜６０回の場合は、　Ｂ（１２０（Ｓ））＞Ｃ（１００（Ｓ））＞Ａ（６０（Ｓ））＞Ｄ（４５（Ｓ））にし、、使用回数０〜２０回の場合は、　Ｂ（１００（Ｓ））＞Ｃ（６０（Ｓ））＞Ａ（４５（Ｓ））＞Ｄ（３０（Ｓ））に予め設定する。
【００４７】
【表１】
2004054267.tif 000003
【００４８】
第１０実施の形態は、時間帯毎の使用頻度によって、時間帯毎の決定された移行時間を、少なくとも２つ以上有し、且つ、それぞれ下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
としたことを特徴とする請求項１乃至請求項５のいずれかに記載の画像形成装置および請求項８、請求項１０に記載の画像形成装置を説明するものであり、表２を用いて説明する。
つまり、その処理手順を，図８のフローチャートを用いて説明する。図中Ｓ２０１，Ｓ２０２……は，処理手順（ステップ）の番号を示す。
を表２のように、使用回数０〜２０回の場合は、　Ｂ（２４０（Ｓ））＞Ｃ（２１０（Ｓ））＞Ｄ（１８０（Ｓ））＞Ａ（１２０（Ｓ））にし、、使用回数２１〜４０回の場合は、　Ｂ（１８０（Ｓ））＞Ｃ（１６０（Ｓ））＞Ｄ（１２０（Ｓ））＞Ａ（１００（Ｓ））にし、、使用回数４１〜６０回の場合は、　Ｂ（１２０（Ｓ））＞Ｃ（１００（Ｓ））＞Ｄ（６０（Ｓ））＞Ａ（４５（Ｓ））にし、、使用回数０〜２０回の場合は、　Ｂ（１００（Ｓ））＞Ｃ（６０（Ｓ））＞Ｄ（４５（Ｓ））＞Ａ（３０（Ｓ））に予め設定する。
【００４９】
【表２】
2004054267.tif 000004
【００５０】
第１１実施の形態は、時間帯毎の決定された移行時間に対して、移行時間の上限値、若しくは、下限値を入力することが、可能なことを特徴とする請求項１、２，３，４，５，６，７，８，１０のいずれかに記載の画像形成装置を説明するものであり、表３、４を用いて説明する。
例えば、上限値を１８０（Ｓ）と使用者が、予め設定するとテーブルデータの中の１８０（Ｓ）を超える値は、すべて１８０（Ｓ）に変更されて、表３のようなテーブルデータに書き換えられる。
又、下限値を１００（Ｓ）と使用者が、予め設定するとテーブルデータの中の１００（Ｓ）を下回る値は、すべて１００（Ｓ）に変更されて、表４のようなテーブルデータに書き換えられる。
そして変更された新しい表３、若しくは、表４によって、移行時間が決定される。
【００５１】
【表３】
2004054267.tif 000005
【００５２】
【表４】
2004054267.tif 000006
【００５３】
【発明の効果】
本発明により、ユーザーの使用したい時（使用頻度の多い時）に、移行時間を短く設定し、ユーザーのあまり使用しない時（使用頻度の少ない時）に、移行時間を長く設定しているので、使用頻度の多い時は、迅速な操作を行う事ができ、使用頻度の少ない時は、省エネルギーを図ることができる。
【図面の簡単な説明】
【図１】本発明を採用する画像形成装置のブロック図。
【図２】本発明を採用する画像形成装置の操作パネルの基本画面。
【図３】本発明を採用する画像形成装置の操作パネルの変倍画面。
【図４】本発明を採用する画像形成装置の操作パネルの機能画面。
【図５】本発明を採用する画像形成装置の操作パネルの枠消しモード選択画面。
【図６】本発明のオートクリアタイム設定手段の説明画面。
【図７】本発明を説明するフローチャート
【図８】本発明を説明するフローチャート
【図９】本発明を説明するフローチャート
【図１０】本発明を説明するフローチャート
【図１１】本発明を説明するフローチャート
【符号の説明】
１；表示部（ＬＤＣ）
２〜５；キー入力手段
６；制御部
６１；オートクリアタイム設定手段
６２；オートクリアタイム決定手段
６３；タイマ
６４；復帰手段
７；ＲＯＭ
８；ＲＡＭ
【図１】
2004054267.tif 000007
【図２】
2004054267.tif 000008
【図３】
2004054267.tif 000009
【図４】
2004054267.tif 000010
【図５】
2004054267.tif 000011
【図６】
2004054267.tif 000012
【図７】
2004054267.tif 000013
【図８】
2004054267.tif 000014
【図９】
2004054267.tif 000015
【図１０】
2004054267.tif 000016
【図１１】
2004054267.tif 000017